(57)【要約】【課題】光ファイバーケーブルの外皮を容易に切削除去する。【解決手段】光ファイバー１を外皮２により被覆した光ファイバーケーブルＣに対して切削刃６をケーブル軸芯周りでケーブル軸芯方向へ螺旋状に相対移動させる螺旋移動手段を備え、外皮２に前記切削刃６を食い込ませた状態での螺旋移動手段による切削刃６の螺旋状相対移動により、外皮２をケーブル軸芯周りでケーブル軸芯方向へ螺旋状に切削する構成にしてある。【選択図】        図５
2004184749.tif 000002
【特許請求の範囲】
【請求項１】
光ファイバーを外皮により被覆した光ファイバーケーブルに対して切削刃をケーブル軸芯周りでケーブル軸芯方向へ螺旋状に相対移動させる螺旋移動手段を備え、
前記外皮に前記切削刃を食い込ませた状態での前記螺旋移動手段による切削刃の螺旋状相対移動により、外皮をケーブル軸芯周りでケーブル軸芯方向へ螺旋状に切削する構成にしてある光ファイバーケーブル外皮除去装置。
【請求項２】
前記螺旋移動手段を構成するのに、光ファイバーケーブルをケーブル軸芯周りで相対回転自在に、かつ、ケーブル軸芯方向へ相対摺動自在に保持する保持手段、及び、この保持手段をそれが保持する光ファイバーケーブルに対して人為力又は動力によりケーブル軸芯周りで回転させるとともに、その回転に並行してケーブル軸芯方向へ摺動させる操作手段を設け、
前記切削刃を前記外皮に食い込ませた状態において、その切削刃を前記操作手段による回転摺動操作に対し前記保持手段と一体的に動作させる構成にしてある請求項１記載の光ファイバーケーブル外皮除去装置。
【請求項３】
光ファイバーケーブルに対してケーブル軸芯周りでの回転及びケーブル軸芯方向への摺動が自在な外嵌状態に装着する外嵌体を前記保持手段にし、
この外嵌体において光ファイバーケーブルを内嵌状に位置させるケーブル貫通孔の孔内に刃先を突出させた状態で前記切削刃を前記外嵌体に付設し、
前記操作手段として前記外嵌体の外周部を、操作者がケーブル軸芯周りの回転力及びケーブル軸芯方向への摺動力を外嵌体に付与する人為操作部にしてある請求項２記載の光ファイバーケーブル外皮除去装置。
【請求項４】
光ファイバーケーブルに対してケーブル軸芯周りでの回転及びケーブル軸芯方向への摺動が自在な外嵌状態に装着する外嵌体を前記保持手段にし、
この外嵌体において光ファイバーケーブルを内嵌状に位置させるケーブル貫通孔の孔内に刃先を突出させた状態で前記切削刃を前記外嵌体に付設し、
前記切削刃により切削した前記外皮の切削屑を前記操作手段による外嵌体の回転摺動操作に伴い前記ケーブル貫通孔の孔内から外嵌体の外部へ排出する排出口を前記外嵌体に設けてある請求項２又は３記載の光ファイバーケーブル外皮除去装置。
【請求項５】
前記外嵌体を、前記ケーブル貫通孔に対する孔半径方向での光ファイバーケーブルの出し入れ操作を可能にする開き状態と、その孔半径方向での出し入れ操作を不能にする閉じ状態とに切り換え自在な構造にしてある請求項３又は４記載の光ファイバーケーブル外皮除去装置。
【請求項６】
請求項５に記載の光ファイバーケーブル外皮除去装置を用いた光ファイバーケーブル外皮除去方法であって、
光ファイバーケーブルのケーブル軸芯方向途中箇所における外皮除去予定部分において、その外皮除去予定部分のケーブル軸芯方向における一方の端部で前記外皮にケーブル周方向の全周にわたる切れ目を切断具により形成し、
この切れ目に前記切削刃の刃先を突入させる状態で前記外嵌体を光ファイバーケーブルに対し外嵌状態に装着し、
その後、この外嵌体を前記切削刃が外皮除去予定部分のケーブル軸芯方向における他方の端部に至るまで前記操作手段により回転摺動操作して、前記外皮を外皮除去予定部分のケーブル軸芯方向における全長にわたりケーブル軸芯周りでケーブル軸芯方向へ螺旋状に切削する光ファイバーケーブル外皮除去方法。
【請求項７】
前記切れ目を形成した後、その切れ目に対してケーブル軸芯方向で一方側の外皮と他方側の外皮をケーブル軸芯方向で離間させる側に引き離し操作して、前記切れ目をケーブル軸芯方向で拡幅し、
この拡幅した切れ目に前記切削刃の刃先を突入させる状態で前記外嵌体を光ファイバーケーブルに対し外嵌状態に装着する請求項６記載の光ファイバーケーブル外皮除去方法。
【請求項８】
前記切れ目に対してケーブル軸芯方向で一方側の外皮と他方側の外皮をケーブル軸芯方向で離間させる側に引き離し操作して、前記切れ目をケーブル軸芯方向で拡幅した後、それら一方側の外皮と他方側の外皮を両外皮にわたらせた外皮支持具により切れ目幅縮小側への戻り力に抗して引き離し状態に保持し、
この保持状態において、拡幅した前記切れ目に前記切削刃の刃先を突入させる状態で前記外嵌体を光ファイバーケーブルに対し外嵌状態に装着する請求項７記載の光ファイバーケーブル外皮除去方法。
【請求項９】
光ファイバーケーブルに装着した前記外嵌体を前記操作手段により回転摺動操作する際、前記一方側の外皮と他方側の外皮とにわたらせた状態にある前記外皮支持具を外皮回り止め具として用いて、前記外嵌体から前記外皮に伝わるケーブル軸芯周りでの回転力を受け止める請求項８記載の光ファイバーケーブル外皮除去方法。
【発明の詳細な説明】
【０００１】
【発明の属する技術分野】
本発明は、光ファイバーケーブルにおいて、光ファイバーを被覆する外皮を除去する光ファイバーケーブル外皮除去装置、及び、その装置を用いた光ファイバーケーブル外皮除去方法に関する。
【０００２】
【従来の技術】
従来の技術は、光ファイバーケーブルのケーブル軸芯方向途中箇所における外皮を除去するものであって、外皮除去予定部分のケーブル軸芯方向における両端部で外皮にケーブル周方向の切れ目を入れ、その一端側の切れ目に切削刃を突入させた状態で、その切削刃を外皮除去予定部分の他端側の切れ目に向かってケーブル軸芯方向に移動させることで、外皮除去予定部分の外皮を鉋で削るように切削除去する構成にしてある（例えば、特許文献１参照。）。
【０００３】
また、別の従来技術として、切削刃を外皮層に突入させて回転部により回転させることで外皮に切れ目を入れ、切削刃を外皮の切れ目形成箇所に突入させた状態で、移動手段を以って切削刃をケーブル軸芯方向に移動させ、外皮を引き抜くように剥離させて光ファイバーから除去する構成にしてあるものがある（例えば、特許文献２参照。）。
【０００４】
【特許文献１】
特開２００２−９０５５１号公報
【特許文献２】
特開２０００−２９２６２３号公報
【０００５】
【発明が解決しようとする課題】
しかしながら、上記の特許文献１の技術では、光ファイバーケーブルの外皮を切削する際、切削抵抗に抗して鉋で削るように切削刃をケーブル軸芯方向に平行移動させるのに大きな操作力を要し、また、鉋のように外皮を切削するので、光ファイバーケーブルの外皮をケーブル周方向の全周にわたって削るのに、一回の切削作業では難しく、これらの点で作業性が低い問題があった。
【０００６】
また、上記の特許文献２の技術では光ファイバーからケーブル軸芯方向に引き抜く構成であるため、光ファイバーケーブルの端部における光ファイバーケーブルの外皮を除去するときにおいてのみの使用に限られ、光ファイバーケーブルの途中箇所における外皮を除去するには使用できず、この点で汎用性が低い問題があった。
【０００７】
この実情に鑑み、本発明の主たる課題は、上記問題を合理的な改良を以って効果的に解消する点にある。
【０００８】
【課題を解決するための手段】
〔１〕請求項１に係る発明は光ファイバーケーブル外皮除去装置に係り、その特徴は、
光ファイバーを外皮により被覆した光ファイバーケーブルに対して切削刃をケーブル軸芯周りでケーブル軸芯方向へ螺旋状に相対移動させる螺旋移動手段を備え、
前記外皮に前記切削刃を食い込ませた状態での前記螺旋移動手段による切削刃の螺旋状相対移動により、外皮をケーブル軸芯周りでケーブル軸芯方向へ螺旋状に切削する構成にしてある点にある。
【０００９】
つまり、この構成によれば、光ファイバーケーブルの外皮をケーブル軸芯周りでケーブル軸芯方向へ螺旋状に切削するので、一回の切削作業では光ファイバーケーブルのケーブル周方向全周にわたって切削することが難しい特許文献１の技術に比べて、効果的で、かつ、容易に光ファイバーケーブルの外皮をケーブル周方向の全周にわたって切削することができる。
【００１０】
また、外皮を螺旋状に切削するので切削した外皮を光ファイバーから引き抜く必要がなく、よって、光ファイバーケーブルの端部でのみならず、外皮除去予定部分がケーブル軸芯方向の途中箇所であってもケーブル周方向の全周にわたり容易に切削し除去することができる。
【００１１】
更に、切削刃と光ファイバーケーブルをケーブル軸芯方向へ螺旋状に相対移動させながら外皮を切削するので、その螺旋状相対移動にかかる回転モーメントを利用することもできて、それによって、大きな力を必要とせず、小さな力で光ファイバーケーブルの外皮を切削することもできる。
【００１２】
〔２〕請求項２に係る発明は、請求項１に係る発明の実施に好適な実施形態を特定するものであり、その特徴は、
前記螺旋移動手段を構成するのに、光ファイバーケーブルをケーブル軸芯周りで相対回転自在に、かつ、ケーブル軸芯方向へ相対摺動自在に保持する保持手段、及び、この保持手段をそれが保持する光ファイバーケーブルに対して人為力又は動力によりケーブル軸芯周りで回転させるとともに、その回転に並行してケーブル軸芯方向へ摺動させる操作手段を設け、
前記切削刃を前記外皮に食い込ませた状態において、その切削刃を前記操作手段による回転摺動操作に対し前記保持手段と一体的に動作させる構成にしてある点にある。
【００１３】
つまり、この構成によれば、操作手段により、保持手段と切削刃とを光ファイバーケーブルに対してケーブル軸芯周りで回転させるとともに、それに伴って、保持手段と切削刃とをケーブル軸芯方向へ摺動させるので、また、保持手段により光ファイバーケーブルを保持しているので、切削作業を楽に、かつ、確実に行なうことができる。
【００１４】
〔３〕請求項３に係る発明は、請求項２に係る発明の実施に好適な実施形態を特定するものであり、その特徴は、
光ファイバーケーブルに対してケーブル軸芯周りでの回転及びケーブル軸芯方向への摺動が自在な外嵌状態に装着する外嵌体を前記保持手段にし、
この外嵌体において光ファイバーケーブルを内嵌状に位置させるケーブル貫通孔の孔内に刃先を突出させた状態で前記切削刃を前記外嵌体に付設し、
前記操作手段として前記外嵌体の外周部を、操作者がケーブル軸芯周りの回転力及びケーブル軸芯方向への摺動力を外嵌体に付与する人為操作部にしてある点にある。
【００１５】
つまり、この構成によれば、保持手段である外嵌体に切削刃を付設し、その外嵌体に操作手段としてケーブル軸芯周りの回転力及びケーブル軸芯方向への摺動力を外嵌体に付与する人為操作部を設けてあるので、装置を小型化することができるとともに、光ファイバーケーブルの外皮の切削作業において操作手段の回転操作に偶力を利用することもできて、その切削作業を一層小さな力で行うことができる。
【００１６】
〔４〕請求項４に係る発明は、請求項２又は３に係る発明の実施に好適な実施形態を特定するものであり、その特徴は、
光ファイバーケーブルに対してケーブル軸芯周りでの回転及びケーブル軸芯方向への摺動が自在な外嵌状態に装着する外嵌体を前記保持手段にし、
この外嵌体において光ファイバーケーブルを内嵌状に位置させるケーブル貫通孔の孔内に刃先を突出させた状態で前記切削刃を前記外嵌体に付設し、
前記切削刃により切削した前記外皮の切削屑を前記操作手段による外嵌体の回転摺動操作に伴い前記ケーブル貫通孔の孔内から外嵌体の外部へ排出する排出口を前記外嵌体に設けてある点にある。
【００１７】
つまり、この構成によれば、外嵌体に、光ファイバーケーブルの外皮の切削作業により発生する外皮の切削屑を排出する排出口を設けてあるので、外嵌体の回転摺動操作において切削屑がケーブル貫通孔に詰まったりすることがなく、また、そのことで、外皮を除去された光ファイバーを傷つけることも効果的に防止でき、これらのことでスムーズな切削作業を行うことができる。
【００１８】
また、この排出口に切削刃を設けると、光ファイバーケーブルに対する外嵌体の回転摺動操作時に、排出口を外皮における切削刃の位置を確認するための確認窓としても機能させることができ、外皮の除去予定部分を正確に切削除去することができる。
【００１９】
〔５〕請求項５に係る発明は、請求項３又は４に係る発明の実施に好適な実施形態を特定するものであり、その特徴は
前記外嵌体を、前記ケーブル貫通孔に対する孔半径方向での光ファイバーケーブルの出し入れ操作を可能にする開き状態と、その孔半径方向での出し入れ操作を不能にする閉じ状態とに切り換え自在な構造にしてある点にある。
【００２０】
つまり、この構成によれば、光ファイバーケーブルの外皮除去予定部分がケーブル軸芯方向の途中箇所であっても、光ファイバーケーブルの一端から外嵌体のケーブル貫通孔に光ファイバーケーブルを挿通させて外嵌体を外皮除去予定部分まで移動させる必要がなく、光ファイバーケーブルのケーブル貫通孔に対する孔半径方向（即ち、ケーブル半径方向）の外方から外嵌体を光ファイバーケーブルの外皮除去予定部分に対し簡便に外嵌状態に装着することができるので、既に架設されてある光ファイバーケーブルに対してもその外皮の切削除去に容易に用いることができる。
【００２１】
〔６〕請求項６に係る発明は、請求項５に係る光ファイバーケーブル外皮除去装置を用いた光ファイバーケーブル外皮除去方法に係り、その特徴は、
光ファイバーケーブルのケーブル軸芯方向途中箇所における外皮除去予定部分において、その外皮除去予定部分のケーブル軸芯方向における一方の端部で前記外皮にケーブル周方向の全周にわたる切れ目を切断具により形成し、
この切れ目に前記切削刃の刃先を突入させる状態で前記外嵌体を光ファイバーケーブルに対し外嵌状態に装着し、
その後、この外嵌体を前記切削刃が外皮除去予定部分のケーブル軸芯方向における他方の端部に至るまで前記操作手段により回転摺動操作して、前記外皮を外皮除去予定部分のケーブル軸芯方向における全長にわたりケーブル軸芯周りでケーブル軸芯方向へ螺旋状に切削する点にある。
【００２２】
つまり、この構成によれば、光ファイバーケーブルのケーブル軸芯方向の途中箇所の外皮を除去する場合、外嵌体を光ファイバーケーブルに対し外嵌状態に装着するに先立って、切断具を用いて、光ファイバーケーブルの外皮除去予定部分の一方の端部にケーブル周方向の全周にわたる切れ目を形成することで、外嵌体に設けられた切削刃で光ファイバーを傷つけたりすることなく、容易に切削刃を光ファイバーケーブルの外皮に突入させることができ、これにより、外皮除去予定部分がケーブル軸芯方向の途中箇所であっても簡便に切削作業を行うことができる。
【００２３】
〔７〕請求項７に係る発明は、請求項６に係る発明の実施に好適な実施形態を特定するものであり、その特徴は
前記切れ目を形成した後、その切れ目に対してケーブル軸芯方向で一方側の外皮と他方側の外皮をケーブル軸芯方向で拡幅し、
この拡幅した切れ目に前記切削刃の刃先を突入させる状態で前記外嵌体を光ファイバーケーブルに対し外嵌状態に装着する点にある。
【００２４】
つまり、この構成によれば、切れ目をケーブル軸芯方向で拡幅することで、光ファイバーケーブルの外皮をケーブル軸芯周りでケーブル軸芯方向へ螺旋状に切削するために広幅に形成された切削刃を、容易にその切れ目に突入させることができ、よって、外皮の切削作業を簡便に行なうことができる。
【００２５】
〔８〕請求項８に係る発明は、請求項７に係る発明の実施に好適な実施形態を特定するものであり、その特徴は
前記切れ目に対してケーブル軸芯方向で一方側の外皮と他方側の外皮をケーブル軸芯方向で離間させる側に引き離し操作して、前記切れ目をケーブル軸芯方向で拡幅した後、それら一方側の外皮と他方側の外皮を両外皮にわたらせた外皮支持具により切れ目幅縮小側への戻り力に抗して引き離し状態に保持し、
この保持状態において、拡幅した前記切れ目に前記切削刃の刃先を突入させる状態で前記外嵌体を光ファイバーケーブルに対し外嵌状態に装着する点にある。
【００２６】
つまり、この構成によれば、ケーブル軸芯方向に拡幅した切れ目を外皮支持具でその引き離し状態に保持することで、その切れ目に対し外嵌体に設けられている切削刃を一層容易に突入させることができ、よって、外皮の切削作業を一層簡便に行なうことができる。
【００２７】
〔９〕請求項９に係る発明は、請求項８に係る発明の実施に好適な実施形態を特定するものであり、その特徴は、
光ファイバーケーブルに装着した前記外嵌体を前記操作手段により回転摺動操作する際、前記一方側の外皮と他方側の外皮とにわたらせた状態にある前記外皮支持具を外皮回り止め具として用いて、前記外嵌体から前記外皮に伝わるケーブル軸芯周りでの回転力を受け止める点にある。
【００２８】
つまり、この構成によれば、外皮支持具が両外皮を切れ目に対して引き離した状態で保持しながら、外嵌体を回転摺動操作する際に、その回転摺動操作による外皮のケーブル軸芯周りでの回転力を受け止めて外皮の捻転も抑制するので、外嵌体の回転摺動操作による外皮の切削を一層容易に行うことができる。
【００２９】
【発明の実施の形態】
図１〜図１０は、本発明の実施形態を示し、長尺の光ファイバーケーブルＣの途中箇所において光ファイバー１を各分岐先に引き込むために分岐する際、光ファイバー１を被覆している外皮２を除去する光ファイバーケーブル外皮除去装置Ａを用いて、光ファイバーケーブルＣの外皮２をケーブル軸芯周りでケーブル軸芯方向へ螺旋状に切削除去し、光ファイバー１を露出させる。
【００３０】
光ファイバーケーブル外皮除去装置Ａの外嵌体である装置本体３は、光ファイバーケーブルＣに対し外嵌装着可能に枢支連結された半円筒状の２つの本体分割部３ａ，３ｂから構成され、それら各本体分割部３ａ，３ｂは、その一方の本体分割部３ａに対して他方の本体分割部３ｂを枢支軸芯Ｘ周りで相対的に開き揺動させて光ファイバーケーブルＣに対する装置本体３の着脱操作を可能にする開き状態と、一方の本体分割部３ａに対して他方の本体分割部３ｂを枢支軸芯Ｘ周りで相対的に閉じ揺動させて光ファイバーケーブルＣに外嵌させた閉じ状態とに切り換え可能に設けられており、装置本体３を閉じ状態にした時には、その内側に光ファイバーケーブルＣをケーブル軸芯方向に相対摺動自在に位置させる円筒空間状のケーブル貫通孔４を形成する。
【００３１】
装置本体３には、一方の本体分割部３ａに対して他方の本体分割部３ｂを枢支軸芯Ｘ周りで相対的に閉じ揺動させて光ファイバーケーブルＣに外嵌させた閉じ状態にした時、その閉じ状態に両本体分割部３ａ，３ｂを掛止固定するためのロック機構５が設けられており、ロック機構５は、一方の本体分割部３ａに設けられたロックハンドル部５ａと、ロック軸部５ｂと、他方の本体分割部３ｂに設けられたロックベース部５ｃとから構成され、ロックハンドル部５ａはロック軸部５ｂを介して装置本体３の周方向に揺動自在に連結されていて、装置本体３を閉じ状態に固定するときには、ロックハンドル部５ａをロックベース部５ｃに対して揺動させ、ロック軸部５ｂをロックベース部５ｃに嵌合させる状態で掛止して装置本体３を閉じ状態に固定する。
【００３２】
一方の本体分割部３ａのケーブル長手方向中間位置には、光ファイバーケーブル外皮除去装置Ａをケーブル周方向でケーブル軸芯方向へ回転摺動操作することで外皮２を螺旋状に切削する切削刃６がケーブル貫通孔４内に突出した状態で設けられているとともに、一方の本体分割部３ａと他方の本体分割部３ｂに跨る形態で切削刃６による外皮２の切削によって発生する切削屑２Ａをケーブル貫通孔４から排出する切削屑排出口７が設けられている。
【００３３】
切削屑排出口７は、ケーブル貫通孔４に光ファイバーケーブルＣを挿通させた際、その挿通した光ファイバーケーブルＣと切削刃６の位置関係を目視確認するための確認窓を兼ねている。
【００３４】
このように構成することで、光ファイバーケーブル外皮除去装置Ａを光ファイバーケーブルＣに対して装着する際には、光ファイバーケーブルＣの外皮除去予定部分Ｐの切削開始位置と切削刃６との位置関係を切削屑排出口７から目視確認することができ、切削作業中には外皮除去予定部分Ｐの切削終了位置を確認しながら切削作業を行なうことができるので、正確にその外皮除去予定部分Ｐの外皮２を切削除去することができる。
【００３５】
また、装置本体３のケーブル長手方向一端側部の外周面には、操作者がケーブル軸芯周りの回転力及びケーブル軸芯方向への摺動力を装置本体３に付与することを容易にして回転摺動操作をより小さな力で行なうための人為操作部であるグリップ部８が設けられていて、詳しくは、グリップ部８は表面が凹凸のある粗面の網目ローレット状に形成されている。
【００３６】
そして、この光ファイバーケーブル外皮除去装置Ａを光ファイバーケーブルＣの外皮除去予定部分Ｐに外嵌装着して、外皮２をケーブル軸芯周りでケーブル軸芯方向へ螺旋状に切削するのに、ケーブル軸芯方向に回転摺動操作においてその回転摺動操作に偶力を利用することで小さな力で容易に切削作業を行うことができる。
【００３７】
この光ファイバーケーブル外皮除去装置Ａを用いた光ファイバーケーブル外皮除去方法を説明する。
【００３８】
本実施形態の光ファイバーケーブルＣは、光ファイバー１と２層構造の外皮２とから構成され、外皮２は合成樹脂製の外層２ａとアルミニウム製の内層２ｂとの２層からなる中空の円筒状で、その中空部Ｓに光ファイバー１が挿通している。
【００３９】
光ファイバーケーブルＣの外皮除去予定部分Ｐにおいて、その外皮除去予定部分Ｐの切削開始位置に切断具１０を用いて、光ファイバーケーブルＣのケーブル周方向の全周において外皮２の外層２ａと内層２ｂとの両方にわたる切れ目９を形成する。
【００４０】
切断具１０は、光ファイバーケーブルの外皮を切断する刃部１０ａと、光ファイバーケーブルを挟持しながら刃部１０ａに対して送り込み具合を調節することができる挟持部１０ｂと、その送り込みを調節する操作部１０ｃから構成されている。
【００４１】
そして、光ファイバーケーブルＣの切れ目形成位置に切断具１０の刃を合わせて光ファイバーケーブルＣを挟持部１０ｂで挟持し、操作部１０ｃで光ファイバーケーブルＣの刃部１０ａに対する送り込みを調節しながらその切断具１０をケーブル周方向に回転させて切断することによって、光ファイバー１を傷つけることなく光ファイバーケーブルＣの外皮２のケーブル周方向の全周における外層２ａと内層２ｂとの両方にわたる切れ目９を形成することができる。
【００４２】
次に、切断具１０で切れ目９を形成したことによって分断された外皮２において、ケーブル軸芯方向で一方の外皮２と他方の外皮２をケーブル軸芯方向で離間させるように引き離し操作して切れ目９を拡幅させた後、外皮支持具１１を用いて、その拡幅した切れ目９を跨ぐ状態で一方の外皮２と他方の外皮２とに亘らせて挟持支持し、その切れ目９を引き離し状態（拡幅状態）で保持する。
【００４３】
外皮支持具１１は、ケーブル軸芯方向に長い長杆１１ａとその長杆１１ａの両端部に設けられたケーブル挟持部１１ｂとから構成されていて、各ケーブル挟持部１１ｂが分断されて切れ目９を拡幅した状態の各外皮２のそれぞれを挟持保持することで、外皮２のケーブル軸芯方向における切れ目幅縮小側への戻り動作を規制して、拡幅させた切れ目９を引き離し状態で保持するとともに、外皮２のケーブル周方向への回転又は捻転も規制する。
【００４４】
次に、切断具１０によって形成され、外皮支持具１１によって拡幅状態に保持されている切れ目９に、開き状態にしてある光ファイバーケーブル外皮除去装置Ａの装置本体３の切削刃６を突入させ、装置本体３を構成する各本体分割部３ａ，３ｂを閉じ方向に揺動させて閉じ状態にし、ロック機構５を以って装置本体３を閉じ状態に固定して、光ファイバーケーブルＣに光ファイバーケーブル外皮除去装置Ａを外嵌装着する。
【００４５】
続いて、光ファイバーケーブルＣに対して装着した光ファイバーケーブル外皮除去装置Ａをケーブル軸芯において進行方向に時計回りに回転摺動させることで、光ファイバーケーブルＣの外皮２を螺旋状に切削し、光ファイバー１を露出させる。
【００４６】
そして、切削刃６の位置を確認するための確認窓を兼ねる切削屑排出口７から外皮除去予定部分Ｐの切削終了位置を確認しながら切削作業を進め、切削刃６がその切削終了位置に来たとき、切削刃６を突入させた状態で、ケーブル軸芯方向には摺動させずにケーブル周方向に回転操作することで螺旋状に切削してきた外皮２を切り落とし、光ファイバーケーブルＣに新たな端部を形成することができる。
【００４７】
以上、本実施形態では、光ファイバーケーブルＣをケーブル軸芯周りで相対回転自在にかつケーブル軸芯方向へ相対摺動自在に保持する保持手段として外嵌体である装置本体３を設けてあるとともに、この保持手段をそれが保持する光ファイバーケーブルＣに対して人為力又は動力によりケーブル軸芯周りで回転させるとともにその回転に並行してケーブル軸芯方向へ摺動させる操作手段として、操作者がケーブル軸芯周りの回転力及びケーブル軸芯方向への摺動力を装置本体３に付与する人為操作部であるグリップ部８を装置本体３の外周部に設けてあり、これら保持手段である装置本体３と操作手段であるグリップ部８とが、光ファイバー１を外皮２により被覆した光ファイバーケーブルＣに対して切削刃６をケーブル軸芯周りでケーブル軸芯方向へ螺旋状に相対移動させる螺旋移動手段を構成する。
【００４８】
〔別の実施形態〕
次に別実施形態を列記する。
【００４９】
上述の実施形態における光ファイバーケーブルＣは、合成樹脂製の外層２ａとアルミニウム製の内層２ｂとの２層構造の中空状の外皮２と、それの中空部Ｓに挿通してある光ファイバー１とから構成されていたが、光ファイバーケーブルＣの構成は種々のものであってもよく、例えば、合成樹脂製の２層構造の外皮とその外皮と固着している光ファイバーとから構成される光ファイバーケーブルの外皮を除去する場合、光ファイバーケーブル外皮除去装置Ａで螺旋状に外皮を切削した後、光ファイバーに付着している外皮の残滓を加熱手段で加熱することで除去したり、アセトン等の溶剤に浸漬することで除去したりしてもよい。
【００５０】
また、このとき、光ファイバーケーブル外皮除去装置Ａに加熱手段を設けてあってもよい。
【００５１】
上述の実施形態では、光ファイバーケーブル外皮除去装置Ａに設けた螺旋移動手段の操作手段としてグリップ部８を形成して、外皮２の切削作業を人為力で行なうが、操作手段としては、動力によって行なう構成にしてもよい。
また、このとき、操作手段のケーブル軸芯周りでの回転とケーブル軸芯方向への移動との一方を人為力で、他方を動力で行なうものであってもより。
【００５２】
上述の実施形態では、切削刃６を備えた光ファイバーケーブル外皮除去装置Ａを螺旋移動手段をもってケーブル軸芯方向に移動させて外皮２を切削したが、光ファイバーケーブルＣを移動させて外皮２を切削してもよい。
【００５３】
また、このとき、螺旋移動手段の構成としては、光ファイバーケーブル外皮除去装置Ａと光ファイバーケーブルＣとの一方をケーブル軸芯方向に移動させ、他方をケーブル軸芯周りで回転させてもよい。
【００５４】
上述の実施形態では、光ファイバーケーブルＣのケーブル支持を別部材である外皮支持具１１により支持したが、光ファイバーケーブル外皮除去装置Ａがケーブル支持機能を有するものであってもよい。
【００５５】
上述の実施形態において光ファイバーケーブル外皮除去装置Ａは、光ファイバーケーブルＣの途中箇所の外皮２を除去するのに使用したが、光ファイバーケーブルＣのケーブル端部から外皮２を除去するのに使用してもよい。
【００５６】
本発明の光ファイバーケーブル外皮除去装置Ａは、ケーブル軸芯周りの回転力の付与だけで軸芯方向への移動も行なうものや、軸芯方向への移動力の付与だけでケーブル軸芯周りの回転を行なうものであってもよい。
【００５７】
上述の実施形態では、光ファイバーケーブル外皮除去装置Ａの装置本体３に設けられた操作手段である人為操作部がグリップ部８であったが、レバーや取手など種々の構成であってもよい。
【図面の簡単な説明】
【図１】本発明の実施形態を示す斜視図
【図２】閉じ状態にあるときの側面図
【図３】開き状態にあるときの側面図
【図４】閉じ状態にあるときの平面図
【図５】光ファイバーケーブルに対する装着方法を示す平面図
【図６】光ファイバーケーブルに対する装着方法を示す平面図
【図７】光ファイバーケーブルの斜視図と切断具の使用方法を示す右側面図
【図８】切断具の使用方法を示す平面図
【図９】光ファイバーケーブル外皮除去方法を示す図
【図１０】光ファイバーケーブル外皮除去方法を示す図
【符号の説明】
１      光ファイバー
２      外皮
３      外嵌体（保持手段、螺旋移動手段）
４      ケーブル貫通孔
６      切削刃
７      排出口
８      人為操作部（操作手段、螺旋移動手段）
９      切れ目
１０      切断具
Ｃ      光ファイバーケーブル
Ｐ      外皮除去予定部分
【図１】
2004184749.tif 000003
【図２】
2004184749.tif 000004
【図３】
2004184749.tif 000005
【図４】
2004184749.tif 000006
【図５】
2004184749.tif 000007
【図６】
2004184749.tif 000008
【図７】
2004184749.tif 000009
【図８】
2004184749.tif 000010
【図９】
2004184749.tif 000011
【図１０】
2004184749.tif 000012